(57)【要約】【課題】ユーザの利便性を損なうことなく、装置の消費電力を低減すること。【解決手段】動実行した機能を示す情報と実行日時に関する情報とが関連付けられた動作履歴情報に基づき、装置の使用頻度が高い期間を示す使用頻度情報を機能毎に生成し、装置各部への電源供給状態を制御する電源制御部１０７と、装置における機能の実行に際して動作する部分の起動状態を制御する起動制御部１１２とを含み、装置における機能の実行に際して動作する部分を通知し、外部からの入力を受け付けるための部位に対して常に電源供給を行い、その時点における時刻の情報及び使用頻度情報に基づき、使用頻度が高い期間であると判断した機能に関する部位に対して電源供給を行い、電源供給を行っていない部分が通知された場合に、通知された部分に対して電源供給を行い、通知に係る動作が完了した場合にその部分に対する電源供給を停止する。【選択図】図１
2013200637.tif 000002
【特許請求の範囲】
【請求項１】
動作履歴情報に基づいて電源供給状態を制御する画像処理装置であって、
実行した機能を示す情報と実行日時に関する情報とが関連付けられた動作履歴情報に基づき、装置の使用頻度が高い期間を示す使用頻度情報を前記機能毎に生成する使用頻度情報生成部と、
装置各部への電源供給状態を制御する電源制御部と、
装置における機能の実行に際して動作する部分の起動状態を制御する起動制御部とを含み、
前記起動制御部は、装置における機能の実行に際して動作する部分を前記電源制御部に通知し、
前記電源制御部は、
前記画像処理装置において外部からの入力を受け付けるための部位に対して常に電源供給を行い、
その時点における時刻の情報及び前記使用頻度情報に基づき、使用頻度が高い期間であると判断した機能に関する部位に対して電源供給を行い、
電源供給を行っていない部分が前記電源制御部から通知された場合に、通知された部分に対して電源供給を行い、通知に係る動作が完了した場合にその部分に対する電源供給を停止することを特徴とする画像処理装置。
【請求項２】
前記電源制御部は、ユーザによって設定された使用頻度情報がある場合、ユーザによって設定された使用頻度情報に基づき、使用頻度が高い期間であると判断した機能に関する部位に対して電源供給を行うことを特徴とする請求項１に記載の画像処理装置。
【請求項３】
前記電源制御部は、判断タイミングにおける時刻情報及び前記使用頻度情報に基づいて使用頻度が高い期間であると判断した場合、使用頻度が高い期間である機能に関する部位及びその他の定められた部位に対して電源供給を行うことを特徴とする請求項１または２に記載の画像処理装置。
【請求項４】
前記電源制御部は、
単位時間における消費電力量の許容範囲を示す情報を取得し、
前記電源制御部から通知を受けた場合に、通知に係る部分に新たに電源供給を行った状態の予想消費電力を算出し、
算出した前記予想消費電力の値が前記許容範囲を超えている場合、電源供給中の部位への電源供給を停止した後に前記通知に係る部分への電源供給を行うことを特徴とする請求項１乃至３いずれか１項に記載の画像処理装置。
【請求項５】
動作履歴情報に基づいて電源供給状態を制御する画像処理装置の制御方法であって、
実行した機能を示す情報と実行日時に関する情報とが関連付けられた動作履歴情報を記憶媒体に記憶させ、
前記動作履歴情報に基づき、装置の使用頻度が高い期間を示す使用頻度情報を前記機能毎に生成し、
装置における機能の実行に際して動作する部分を通知し、
前記画像処理装置において外部からの入力を受け付けるための部位に対して常に電源供給を行い、
その時点における時刻の情報及び前記使用頻度情報に基づき、使用頻度が高い期間であると判断した機能に関する部位に対して電源供給を行い、
電源供給を行っていない部分が通知された場合に、通知された部分に対して電源供給を行い、通知に係る動作が完了した場合にその部分に対する電源供給を停止することを特徴とする画像処理装置の制御方法。
【発明の詳細な説明】
【技術分野】
【０００１】
本発明は、画像処理装置、画像処理装置の制御方法及び制御プログラムに関し、特に、電源供給の制御に関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能な複合機として構成されることが多い。
【０００３】
このような画像処理装置のうち、特にオフィス等で用いられるために主電源がオンの状態が長いものにおいては、省電力化のために装置の各部に対する電源供給を停止した省電力モードへの遷移機能が搭載される。このような電源制御機能においては、省電力化を図りながらもユーザの利便性を向上するため、装置の利用状況に応じて電源供給を停止する部位を選択する方法が提案されている（例えば、特許文献１参照）
【発明の概要】
【発明が解決しようとする課題】
【０００４】
特許文献１においては、省電力モードにおける省電力効果の向上が前提とされており、装置の通常動作時における消費電力の効率化については考慮されていない。装置全体での消費電力の低減を図る上では、省電力モード時のみならず、装置の通常動作時においても省電力化を考慮した制御を行うことが好ましく、その際にはユーザの利便性が損なわれないような制御が望まれる。
【０００５】
本発明は上記実情に鑑みてなされたものであり、ユーザの利便性を損なうことなく、装置の消費電力を低減することを目的とする。
【課題を解決するための手段】
【０００６】
上記課題を解決するために、本発明の一態様は、動作履歴情報に基づいて電源供給状態を制御する画像処理装置であって、実行した機能を示す情報と実行日時に関する情報とが関連付けられた動作履歴情報に基づき、装置の使用頻度が高い期間を示す使用頻度情報を前記機能毎に生成する使用頻度情報生成部と、装置各部への電源供給状態を制御する電源制御部と、装置における機能の実行に際して動作する部分の起動状態を制御する起動制御部とを含み、前記起動制御部は、装置における機能の実行に際して動作する部分を前記電源制御部に通知し、前記電源制御部は、前記画像処理装置において外部からの入力を受け付けるための部位に対して常に電源供給を行い、その時点における時刻の情報及び前記使用頻度情報に基づき、使用頻度が高い期間であると判断した機能に関する部位に対して電源供給を行い、電源供給を行っていない部分が前記電源制御部から通知された場合に、通知された部分に対して電源供給を行い、通知に係る動作が完了した場合にその部分に対する電源供給を停止することを特徴とする。
【０００７】
また、本発明の他の態様は、動作履歴情報に基づいて電源供給状態を制御する画像処理装置の制御方法であって、実行した機能を示す情報と実行日時に関する情報とが関連付けられた動作履歴情報を記憶媒体に記憶させ、前記動作履歴情報に基づき、装置の使用頻度が高い期間を示す使用頻度情報を前記機能毎に生成し、装置における機能の実行に際して動作する部分を通知し、前記画像処理装置において外部からの入力を受け付けるための部位に対して常に電源供給を行い、その時点における時刻の情報及び前記使用頻度情報に基づき、使用頻度が高い期間であると判断した機能に関する部位に対して電源供給を行い、電源供給を行っていない部分が通知された場合に、通知された部分に対して電源供給を行い、通知に係る動作が完了した場合にその部分に対する電源供給を停止することを特徴とする。
【発明の効果】
【０００８】
本発明によれば、ユーザの利便性を損なうことなく、装置の消費電力を低減することができる。
【図面の簡単な説明】
【０００９】
【図１】本発明の実施形態に係る画像処理装置の構成を示す図である。
【図２】本発明の実施形態に係る画像処理装置の起動時の動作を示すフローチャートである。
【図３】本発明の実施形態に係る動作履歴情報を示す図である。
【図４】本発明の実施形態に係るユーザ設定情報を示す図である。
【図５】本発明の実施形態に係る画像処理装置の動作を示すフローチャートである。
【図６】本発明の実施形態に係る画像処理装置の動作を示すフローチャートである。
【図７】本発明の実施形態に係る画像処理装置の動作を示すフローチャートである。
【図８】本発明の実施形態に係る画像処理装置の動作を示すフローチャートである。
【発明を実施するための形態】
【００１０】
実施の形態１．
以下、図面を参照して、本発明の実施形態を詳細に説明する。本実施形態においては、装置の動作履歴に基づいて装置各部への電源供給を制御することにより、ユーザの利便性を損なうことなく装置の消費電力を低減する機能を備えた画像処理装置について説明する。
【００１１】
図１は、本実施形態に係る画像処理装置の構成を示すブロック図である。図１に示すように、本実施形態に係る画像処理装置１は、原稿をスキャンする撮像装置であるスキャナ１００、画像形成出力を実行する画像形成部であるプロッタ１０１、画像処理装置の動作履歴の情報（以降、動作履歴情報とする）を記憶する機器使用情報蓄積部１０２、実際の日時の情報を提供するＲＴＣ（Ｒｅａｌ  Ｔｉｍｅ  Ｃｌｏｃｋ）１０３、各部を接続すると共にハードウェアによる処理機能を提供するＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１０４、演算装置であるＣＰＵ（Ｃｅｎｔｒａｌ  Ｐｒｏｃｅｓｓｉｎｇ  Ｕｎｉｔ）１１８、ＣＰＵ１１８の演算処理における作業領域となるメモリ１１９、不揮発性記憶媒体であるＨＤＤ（Ｈａｒｄ  Ｄｉｓｋ  Ｄｒｉｖｅ）及び画像処理装置１をユーザが操作するための走査部１２１を含む。
【００１２】
また、ＡＳＩＣ１０４は、図１に示すように、スキャナＩＦ部１０５、プロッタＩＦ部１０６、電源制御部１０７、スキャナ画像処理部１０８、プロッタ画像処理部１０９、画像回転器１１０、圧縮伸張器１１１、起動制御部１１２、ＣＰＵ  ＩＦ部１１３、メモリ制御部１１４、ＨＤＤ制御部１１５、ネットワークＩＦ部１１６、操作ＩＦ部１１７及びシステムバス１２３を含む。
【００１３】
スキャナＩＦ部１０５は、ＡＳＩＣ１０４においてスキャナ１００と接続されるインタフェースである。プロッタＩＦ部１０６は、ＡＳＩＣ１０４においてプロッタ１０１と接続されるインタフェース部である。電源制御部１０７は、ＡＳＩＣ１０４各部への電源供給状態を制御する。スキャナ画像処理部１０８は、スキャナ１００が原稿を撮像することによって生成され、スキャナＩＦ部１０５を介して入力された画像情報を取得し、保存用の画像を生成するための画像処理を行う。
【００１４】
プロッタ画像処理部１０９は、プリントアウト又はコピー等の画像形成出力を行う場合に、画像形成出力対象の画像を取得してプロッタ１０１に画像形成出力を実行させるための画像情報を生成する。画像回転部１１０は、画像形成出力を実行する際に、用紙の選択や集約印刷に応じて画像の回転が必要となる場合に画像を回転させる画像処理を行う。圧縮伸張器１１１は、画像形成出力に際して、出力対象の画像が圧縮されているような場合に圧縮された画像の伸張処理を行う。また、圧縮伸張器１１１は、スキャナ画像処理部１０８によって生成された画像を圧縮して格納する場合に画像の圧縮処理を行う。
【００１５】
起動制御部１１２は、画像処理装置１が各種の動作を行う際に、夫々の動作において必要なモジュールが起動状態、即ち電源が供給された状態となるように制御する。ＣＰＵ  ＩＦ部１１３は、ＡＳＩＣ１０４においてＣＰＵ１１８と接続されるインタフェースである。メモリ制御部１１４は、ＡＳＩＣ１０４においてメモリ１１９と接続されるインタフェースであると共にメモリ１１９への情報の書込み及び情報の読出しを制御する。
【００１６】
ＨＤＤ制御部１１５は、ＡＳＩＣ１０４においてＨＤＤ１２０と接続されるインタフェースであると共に、ＨＤＤ１２０への情報の書込み及び情報の読出しを制御する。ネットワークＩＦ部１１６は、ＡＳＩＣ１０４がＬＡＮ（Ｌｏｃａｌ  Ａｒｅａ  Ｎｅｔｗｏｒｋ）やインターネット等のネットワークと接続するためのインタフェースである。操作部ＩＦ部１１７は、ＡＳＩＣ１０４において操作部１２１と接続されるインタフェースである。
【００１７】
このような構成において、本実施形態に係る画像処理装置１の要旨は、機器使用情報蓄積部１０２に蓄積される動作履歴の情報に基づいて装置各部への電源供給状態を制御するため、スキャン、プリントアウト、コピー等の画像処理装置１の機能が用いられる際に、その動作において必要とされるモジュールへの電源供給状態を確認、制御することにある。まず図２を参照して、本実施形態に係る画像処理装置１の電源投入後の動作について説明する。
【００１８】
図２に示すように、画像処理装置１において電源が投入されると、電源制御部１０７は、常時電源供給が必要なモジュールのみに電源を供給する（Ｓ２０１）。Ｓ２０１における常時電源供給が必要なモジュールとは、例えば操作ＩＦ部１１７、ネットワークＩＦ部１１６である。操作ＩＦ部１１７は、操作部１２１に対するユーザの操作を認識するために必要であり、ネットワークＩＦ部１１６は、ネットワークを介したコマンドを受け付けるために必要である。即ち、電源制御部１０７は、画像処理装置１において外部からの入力を受け付けるための部位に対して常に電源を供給する。
【００１９】
必要なモジュールのみに対する電源供給を行うと、電源制御部１０７は、機器使用情報蓄積部１０２から動作履歴情報を取得すると共に（Ｓ２０２）、ＲＴＣ１０３から現在時刻を取得する（Ｓ２０３）。また、電源制御部１０７は、ユーザによって設定される使用頻度が高い時間帯の情報（以降、ユーザ設定情報とする）を参照する（Ｓ２０４）。このユーザ設定情報は、電源制御部１０７内部に設けられた不揮発性の記憶媒体や、ＨＤＤ１２０に格納されている。
【００２０】
図３は、動作履歴情報の例を示す図である。図３に示すように、本実施形態に係る動作履歴情報は、“スキャン”、“プリントアウト”、“コピー”等の動作を示す情報と、夫々の動作が実行された日時を示す情報とが関連付けられた情報である。図３に示すような動作履歴情報は、例えばＣＰＵ１１８による制御によって機器使用情報蓄積部１０２に格納される。
【００２１】
図４は、ユーザ設定情報の例を示す図である。図４に示すように、本実施形態に係るユーザ設定情報は、“スキャン”、“プリントアウト”、“コピー”等の動作を示す情報と、夫々の動作が高頻度であると設定された高頻度期間の情報とが関連付けられた情報である。図４に示すようなユーザ設定情報は、操作部１２１を介したユーザによる操作やネットワークを介して入力された情報に基づき、ＣＰＵ１１８の制御によってＨＤＤ１２０や電源制御部１０７内部の記憶媒体に格納される。
【００２２】
ユーザ設定情報が記憶されていない場合（Ｓ２０４／ＮＯ）、電源制御部１０７は、Ｓ２０２において取得した動作履歴情報に基づき、使用頻度が高い時間帯の情報を算出する（Ｓ２０５）。即ち、電源制御部１０７が、使用頻度情報生成部として機能する。Ｓ２０５において、電源制御部１０７は、図３に示すような動作履歴情報の“日時”の情報に基づいてデータを集計する。具体的には、例えば１時間毎等の所定の期間毎に“スキャン”、“プリントアウト”、“コピー”等の動作毎の回数をカウントする。そして、夫々の期間毎のカウント数が所定の閾値を越えた場合、その期間を、図４に示すように、その動作についての“高頻度期間”として設定する。
【００２３】
Ｓ２０５の処理が完了したのち、又はユーザ設定情報が記憶されていた場合（Ｓ２０４／ＹＥＳ）、電源制御部１０７は、Ｓ２０３において取得した現在時刻が高頻度期間であるか否かを判断する（Ｓ２０６）。Ｓ２０６の判断の結果、現在時刻が高頻度期間であれば、電源制御部１０７は、高頻度期間として設定されている動作に対応する部位に対して電源を供給し（Ｓ２０７）、処理を終了する。
【００２４】
Ｓ２０７において、現在時刻が例えば“スキャン”の高頻度期間であった場合、電源制御部１０７は、スキャナ画像処理部１０８、スキャナＩＦ部１０５、圧縮伸張器等１１１のスキャン動作において必要なモジュールに対する電源供給を行う。また、“プリントアウト”であれば、電源制御部１０７は、プロッタ画像処理部１０９、プロッタＩＦ部１０６、圧縮伸張器１１１等のプリントアウト動作において必要なモジュールに対する電源供給を行う。
【００２５】
同様に、現在時刻が“コピー”の高頻度期間であった場合、電源制御部１０７は、上記スキャン動作及びプリントアウト動作の両方において必要なモジュールに対して電源供給を行う。この際、圧縮伸張器１１１等、スキャン動作やプリントアウト動作において必要であっても、コピー動作において不要なモジュールは除外される。現在時刻が高頻度期間でなければ（Ｓ２０６／ＮＯ）、電源制御部１０７は、そのまま処理を終了する。
【００２６】
このような処理により、本実施形態に係る画像処理装置１の電源投入時の動作が完了し、動作履歴やユーザ設定に基づいた装置の動作頻度に応じて、動作頻度が高い部位に対して電源が供給された状態で装置が起動する。また、電源制御部１０７は、所定の更新タイミング毎に電源供給状態を更新する。そのような動作について、図５を参照して説明する。
【００２７】
図５に示すように、電源制御部１０７は、所定期間をカウントするタイマのカウントアップ等により、更新タイミングであるか否かを判断する（Ｓ５０１）。そして、更新タイミングになったら（Ｓ５０１／ＹＥＳ）、電源制御部１０７はＲＴＣ１０３から現在時刻を取得し（Ｓ５０２）、図２のＳ２０６と同様に現在が高頻度期間であるか否か判断する（Ｓ５０３）。
【００２８】
Ｓ５０３の判断の結果、現在が高頻度期間であった場合（Ｓ５０３／ＹＥＳ）、電源制御部１０７は、高頻度期間として設定されている動作に対応するモジュールに対して電源供給を行う（Ｓ５０４）。この際、それまでは電源が供給されていたモジュールであって、今回の判断により電源供給対象ではなくなったモジュールに対しては、電源供給が停止される。その後、電源制御部
【００２９】
他方、高頻度期間でなかった場合（Ｓ５０３／ＮＯ）、電源制御部１０７は、それまでの図２のＳ２０７やＳ５０４の処理により電源供給がされているモジュールに対する電源供給を停止する（Ｓ５０５）。電源制御部１０７がこのような動作を繰り返すことにより、画像処理装置１の各部に対する電源供給状態は、動作履歴やユーザの設定によって最適化されるため、省電力化を図りつつも、ユーザの利便性を損なう可能性を低くすることができる。
【００３０】
次に、本実施形態に係る画像形成装置１において、各種の機能が使用される際の動作について図６を参照して説明する。画像形成装置１においては、ユーザにより操作部１２１が操作されて操作ＩＦ部１１７に操作情報が入力された場合やネットワークＩＦ部１１６を介してコマンドが入力された場合に、スキャン、プリントアウト、コピー等の機能が実行される。
【００３１】
操作ＩＦ部１１７を介して入力された操作情報やネットワークＩＦ部１１６を介して入力されたコマンドは、メモリ１１９にロードされたプログラムに従って演算を行うＣＰＵ１１８により認識される。ＣＰＵ１１８は、それらの情報を認識すると、メモリ１１９にロードされたプログラムに従って演算を行うことにより、ＡＳＩＣ１０４のレジスタに値を設定することにより、スキャン、プリントアウト、コピー等の動作の実行を制御する。
【００３２】
ＣＰＵ１１８によるレジスタ設定は、まず起動制御部１１２によって認識される。起動制御部１１２は、ＣＰＵ１１８によるレジスタ設定に係る動作において必要なモジュールの電源が供給状態であり、動作が可能な状態であるかを電源制御部１０７に問い合わせる。換言すると、起動制御部１１２は、画像処理装置１の機能が用いられる際に、機能の実行に際して動作する部分を電源制御部に通知する。例えば、ＣＰＵ１１８によるレジスタ設定に係る動作がスキャン動作である場合、起動制御部１１２は、スキャナ画像処理部１０８、スキャナＩＦ部１０５及び圧縮伸張器１１１に対する電源供給状態を問い合わせる。
【００３３】
電源制御部１０７は、起動制御部１１２からの問い合わせを待っており（Ｓ６０１）、起動制御部１１２からの問い合わせを受けると（Ｓ６０１／ＹＥＳ）、問い合わせに係るモジュールに対する電源供給状態を確認する（Ｓ６０２）。電源制御部１０７は、図２及び図５において説明したように、画像処理装置１の各部への電源供給を制御しており、自身の制御状態に基づいて夫々の部位への電源供給状態を確認することができる。
【００３４】
Ｓ６０２の判断の結果、問い合わせに係る部位に対して電源供給が行われていない場合（Ｓ６０２／ＮＯ）、電源制御部１０７は、問い合わせに係る部位に対する電源供給を開始する（Ｓ６０３）。問い合わせに係る部位に対して電源供給が行われていた場合（Ｓ６０２／ＹＥＳ）、またはＳ６０３の処理が完了した場合、電源制御部１０７は、起動制御部１１２に対して、問い合わせに係る部位に対する電源供給が行われていることを通知する（Ｓ６０４）。
【００３５】
電源制御部１０７から通知を受けた起動制御部１１２は、ＣＰＵ１１８によるレジスタ設定に従い、スキャン動作、プリントアウト動作、コピー動作等が実行されるように、ＡＳＩＣ１０４の各部を制御する。これにより、ユーザの操作やネットワークを介して入力されたコマンドに係る動作が実行される。起動制御部１１２は、そのように実行された動作の完了を認識すると、電源制御部１０７に動作の完了を通知する。
【００３６】
電源制御部１０７は、起動制御部１１２に対して電源供給状態の通知を行った後、動作完了の通知を待ち（Ｓ６０５）、動作完了の通知を受けると（Ｓ６０５／ＹＥＳ）、Ｓ６０３において電源供給を行ったモジュールに対する電源供給を停止し（Ｓ６０６）、処理を終了する。このような処理により、本実施形態に係る画像処理装置１において、搭載された機能に係る動作の実行に係る一連の処理が完了する。
【００３７】
上述したように、本実施形態に係る画像処理装置１は、省電力モード時のみならず、装置の通常起動時においても使用頻度が高いと判断された部分以外への電源供給は停止されている。そのため、装置の機能が実行される際には、その機能に必要なモジュールに対する電源供給状態が確認され、電源が供給されていない場合には電源供給が開始されてから実際の処理が開始される。そして、機能の実行が完了した際には、その機能の実行に際して電源供給が開始されたモジュールに対する電源供給が停止される。このような制御により、ユーザの利便性と省電力化とのバランスを考慮した効率的な制御を実行することができる。
【００３８】
尚、上記実施形態においては、画像処理装置１の機能として、“スキャン”、“プリントアウト”、“コピー”を例として説明したが、これは一例である。上記実施例はいずれも紙の使用を伴うものであるが、入力された画像やＨＤＤ１２０に格納されている画像に対して画像処理を行い、その画像を出力したりＨＤＤ１２０に再度格納したりする機能であっても、上記実施形態を適用することが可能である。
【００３９】
また、上記実施形態においては、ユーザ設定情報や動作履歴情報に基づく制御として、“スキャン”、“プリントアウト”、“コピー”等の動作の種類毎に使用頻度を判断し、動作の種類に応じたモジュールにのみ電源を供給する場合を例として説明した。この他、上記実施形態のように動作の種類を区別せず、画像処理装置１に含まれる機能が用いられたか否かのみを判断対象とし、高頻度期間においては、ＡＳＩＣ１０４に含まれるモジュールのうち、通知された機能に係る部位のみならず、予め定められた部位に対して電源を供給するようにしても良いし、全ての機能に対応するモジュールに電源を供給するようにしても良い。
【００４０】
実施の形態２．
本実施形態においては、ＡＳＩＣ１０４において許容される最大の消費電力（以降、最大許容電力とする）を設定し、その最大許容電力の範囲内で装置が運用されるように制御を行う例について説明する。尚、実施の形態１と同様の符号を付す構成については、同一または相当部を示すものとし、詳細な説明を省略する。
【００４１】
本実施形態に係る画像処理装置１は、図１において説明した構成と略同様の構成を有するが、本実施形態に係る電源制御部１０７は、ＣＰＵ１１８の制御によって設定された最大消費電力の値を記憶する機能を有する。このような本実施形態に係る画像処理装置１の電源制御部１０７の動作について、図７を参照して説明する。
【００４２】
図７は、本実施形態に係る画像処理装置１の機能が用いられる際の電源制御部１０７の動作を示すフローチャートである。図７に示す動作の前提として、本実施形態に係る画像処理装置１においても、図２や図５において説明したような動作により、動作履歴情報やユーザ設定情報に基づいた電源供給状態の制御が実行されている。また、本実施形態に係る画像処理装置１においては、装置が起動するとＣＰＵ１１８による制御により、電源制御部１０７に対して最大許容電力の値が設定され、電源制御部１０７において記憶される。
【００４３】
そして、図７に示すように、電源制御部１０７は、図６のＳ６０１と同様に起動制御部１１２からの問い合わせを受けると（Ｓ７０１／ＹＥＳ）、問い合わせに係るモジュールに対する電源供給状態を確認する（Ｓ７０２）。Ｓ７０２の判断の結果、対象部位に対して電源が供給されていれば（Ｓ７０２）、電源制御部１０７は、図６のＳ６０４以降と同様に電源供給状態の通知（Ｓ７０７）及び動作完了の通知待機（Ｓ７０８）を行う。
【００４４】
Ｓ７０８の処理を完了すると、電源制御部１０７は、電源供給状態を動作可否の問い合わせの前の状態に復元する（Ｓ７０９）。Ｓ７０９の処理は、Ｓ６０６の処理と同様に、機能を使用するために追加で電源供給を行ったモジュールへの電源供給を停止する処理を含む他、Ｓ７０５の処理において、動作履歴やユーザ設定に基づいて電源供給がされていたモジュールに対する電源供給を停止した場合に、その電源供給を再開する処理を含む。Ｓ７０５の処理については後述する。Ｓ７０９の処理を完了すると、電源制御部１０７は処理を終了する。
【００４５】
他方、対象部位に対して電源が供給されていない場合（Ｓ７０２／ＮＯ）、電源制御部１０７は、現在の電源供給状態に基づき、更に対象部位に対する電源供給を行った場合の予想消費電力を算出する（Ｓ７０３）。そして、電源制御部７０３は、Ｓ７０３において算出した予想消費電力が、ＣＰＵ１１８によって設定された最大許容電力の範囲内であるか否か判断する（Ｓ７０４）。
【００４６】
Ｓ７０４の判断の結果、予想消費電力が最大許容電力の範囲内であれば、電源制御部１０７は、対象部位への電源供給を開始し（Ｓ７０６）、Ｓ７０７以降の処理に進む。他方、予想消費電力が最大許容電力の範囲を越えていた場合（Ｓ７０４）、電源制御部１０７は、問い合わせに係るモジュール以外のモジュールへの電源供給の停止処理を行った後（Ｓ７０５）、Ｓ７０６の処理に進む。このような動作により、本実施形態に係る画像処理装置１は、設定された最大許容電力の範囲内で動作するため、省電力化を図ることが可能となる。
【００４７】
次に、図７のＳ７０５の処理の詳細について、図８を参照して説明する。図８に示すように、Ｓ７０５の処理を開始すると、電源制御部１０７は、まず現在実行中の動作があるか否か確認する（Ｓ８０１）。Ｓ８０１の確認は、起動制御部１１２とのやり取りの状態に応じて判断することが可能である。例えば、電源制御部１０７は、起動制御部１１２から“スキャン”についての動作可否の問い合わせを受けて電源供給状態を通知した後、起動制御部１１２から動作完了の通知を受ける前であれば、“スキャン”の動作を実行中であると判断することが可能である。
【００４８】
Ｓ８０１の判断の結果、実行中の動作があった場合（Ｓ８０１／ＹＥＳ）、次に電源制御部１０７は、図７のＳ７０６の処理により臨時に電源供給を行っているモジュールがあるか否か判断する（Ｓ８０２）。上述したように、電源制御部１０７は、画像処理装置１の各部への電源供給を制御しており、自身の制御状態に基づいて夫々の部位への電源供給状態を確認することができる。
【００４９】
Ｓ８０２の判断の結果、臨時電力供給があった場合（Ｓ８０２／ＹＥＳ）、電源制御部１０７は、実行中の動作が完了するまで待機し（Ｓ８０３）、その後、臨時電力供給を行っているモジュールへの電力供給を停止する（Ｓ８０４）。Ｓ８０３、Ｓ８０４の処理は、処理中の動作可否問い合わせとは別の動作についての、図７のＳ７０８、Ｓ７０９の処理である。
【００５０】
他方、実行中の動作が無かった場合（Ｓ８０１／ＮＯ）や、臨時の電力供給が無かった場合（Ｓ８０２／ＮＯ）、電源制御部１０７は、図２のＳ２０７や、図５のＳ５０４の処理により、動作履歴情報やユーザ設定情報に基づいて供給されているモジュールへの電源供給を停止する（Ｓ８０６）。
【００５１】
Ｓ８０４またはＳ８０５の処理が完了すると、電源制御部１０７は、変化した電力供給状態に基づいて予想消費電力を再度算出し（Ｓ８０６）、図７のＳ７０４と同様に、予想消費電力が最大許容電力の範囲内か否か確認する（Ｓ８０７）。その結果、最大許容電力の範囲内であった場合（Ｓ８０７／ＹＥＳ）、電源制御部１０７は処理を終了する。他方、最大許容電力の範囲を越えていた場合（Ｓ８０７／ＮＯ）電源制御部１０７は、Ｓ８０１からの処理を繰り返す。
【００５２】
このように、本実施形態に係る画像処理装置１においては、実施の形態１の構成、制御を基本として、設定された最大許容電力内で動作するように電源供給状態を制御するため、最低限の画像処理装置の機能を確保しつつ、省電力化を図ることができる。
【符号の説明】
【００５３】
１  画像処理装置
１００  スキャナ
１０１  プロッタ
１０２  機器使用情報蓄積部
１０３  ＲＴＣ
１０４  ＡＳＩＣ
１０５  スキャナＩＦ部
１０６  プロッタＩＦ部
１０７  電源制御部
１０８  スキャナ画像処理部
１０９  プロッタ画像処理部
１１０  画像回転器
１１１  圧縮伸張器
１１２  起動制御部
１１３  ＣＰＵ  ＩＦ部
１１４  メモリ制御部
１１５  ＨＤＤ制御部
１１６  ネットワークＩＦ部
１１７  操作ＩＦ部
１１８  ＣＰＵ
１１９  メモリ
１２０  ＨＤＤ
１２１  操作部
【先行技術文献】
【特許文献】
【００５４】
【特許文献１】特開２００６−３３０８４号公報
【図１】
2013200637.tif 000003
【図２】
2013200637.tif 000004
【図３】
2013200637.tif 000005
【図４】
2013200637.tif 000006
【図５】
2013200637.tif 000007
【図６】
2013200637.tif 000008
【図７】
2013200637.tif 000009
【図８】
2013200637.tif 000010